(57)【要約】【課題】統一することなく複数の店舗間で別個に付与されて用いられているインストアコードが示す各商品の商品情報、およびこの商品情報の詳細情報を正確に確認する。【解決手段】コード管理サーバ１０が、受け付けた検索依頼情報に含まれるインストアコードが対応付けされているコード管理情報を、商品仕様識別コードと、商品仕様識別コードが示す商品に各小売チェーンＡ〜Ｎにおいて付与されるインストアコードと、商品仕様識別コードが示す商品の賞味期限の範囲を示す賞味期限該当期間と、商品仕様識別コードが示す商品の製造期間とを含むコード管理ＤＢ１１を参照して検索し商品仕様識別コードを特定し、特定した商品仕様識別コードを使用して、商品の商品カルテを取得してその商品情報を、賞味期限該当期間あるいは製造期間が検索対象の商品のどの部位に表示されているかを提示するガイドデータとともに出力する。【選択図】図７
2008269266.tif 000002
【特許請求の範囲】
【請求項１】
商品が生産あるいは製造されたときに当該商品を識別するための商品仕様識別コードが付与され、各小売チェーンにおいてそれぞれ別個にインストアコードが付与されている商品についてのコード管理を行うコード管理サーバであって、
前記商品仕様識別コードと、該商品仕様識別コードが示す商品に各小売チェーンにおいて付与されるインストアコードと、該商品仕様識別コードが示す商品の賞味期限の範囲を示す賞味期限該当期間と、当該商品仕様識別コードが示す商品の製造期間とを含むコード管理情報を格納するコード管理ＤＢと、
検索対象の商品に付与されているインストアコードを含む検索依頼情報を受け付ける検索依頼情報受付手段と、
該検索依頼情報受付手段が受け付けた検索依頼情報に含まれるインストアコードが対応付けされているコード管理情報を、前記コード管理ＤＢを参照して検索し、検索したコード管理情報に含まれている商品仕様識別コードを特定する商品仕様識別コード特定手段と、
該商品仕様識別コード特定手段が特定した商品仕様識別コードを使用して、当該商品仕様識別コードが付与されている商品の商品カルテを取得する商品カルテ取得手段と、
該商品カルテ取得手段が取得した商品カルテが示す商品情報を、前記賞味期限該当期間あるいは前記製造期間が検索対象の商品のどの部位に表示されているかを提示するガイドデータとともに出力する商品情報出力手段とを含む
ことを特徴とするコード管理サーバ。
【請求項２】
前記商品情報出力手段は、前記検索依頼情報受付手段が、前記商品の賞味期限に含まれる部分コードを含む検索依頼情報を受け付けた場合に、前記商品カルテの商品情報に含まれる該商品の詳細情報を出力する
請求項１記載のコード管理サーバ。
【請求項３】
前記コード管理サーバは、
前記商品カルテ取得手段が取得した商品カルテが示す商品情報の表示順番を決定する表示順番決定手段を含み、
前記商品情報出力手段は、該商品カルテ取得手段が取得した商品カルテが示す商品情報を、前記表示順番決定手段が決定した表示順番を指定して出力する
請求項１または請求項２記載のコード管理サーバ。
【請求項４】
前記表示順番決定手段は、前記商品カルテが示す商品情報の表示順番を、前記コード管理ＤＢのコード管理情報に含まれる前記賞味期限該当期間あるいは前記製造期間に基づき決定する
請求項３記載のコード管理サーバ。
【請求項５】
前記検索依頼情報受付手段は、各小売チェーンにてそれぞれ管理される小売チェーンサーバから通信ネットワークを介して送信された検索依頼情報を受け付け、
前記小売チェーンサーバは、
インストアコードを指定可能な検索依頼情報指定領域を含む検索依頼情報指定画面を表示する検索依頼情報指定画面表示手段と、
ガイドデータを表示するガイドデータ表示領域および部分コードを指定可能な部分コード指定領域を含む検索結果画面を表示する検索結果画面表示手段と、
前記検索依頼情報指定画面にて指定されたインストアコードと、前記検索結果画面にて指定された部分コードとを検索依頼情報として通信ネットワークを介して送信する検索依頼情報送信手段とを含む
請求項２から請求項４のうちいずれかに記載のコード管理サーバ。
【請求項６】
前記検索結果画面表示手段は、前記商品情報出力手段により出力された前記商品カルテが示す商品情報に含まれる商品の関連情報を表示する関連情報表示領域を含む前記検索結果画面を表示する
請求項５記載のコード管理サーバ。
【請求項７】
前記コード管理サーバは、
前記コード管理ＤＢのコード管理情報に含まれる商品仕様識別コードが示す商品が、中間流通経路を経た際に、当該中間流通経路にて走査された該商品の商品仕様識別コードと、該中間流通経路にて撮像された該商品の画像とを紐付けて前記コード管理情報に保存する画像保存手段を含み、
前記商品情報出力手段は、前記画像保存手段によって保存された商品の画像と、前記賞味期限該当期間あるいは前記製造期間が検索対象の商品のどの部位に表示されているかを示すテキストデータとを前記ガイドデータとして出力する
請求項１から請求項６のうちいずれかに記載のコード管理サーバ。
【請求項８】
前記検索依頼情報指定画面表示手段は、前記検索依頼情報指定領域に所定のインストアコードに対応付けされたアイコンを指定可能に表示する
請求項５から請求項７のうちいずれかに記載のコード管理サーバ。
【請求項９】
前記アイコンは、該当する商品を特定可能な画像によって形成されている
請求項８記載のコード管理サーバ。
【請求項１０】
商品を生産あるいは製造したメーカによって当該商品に付与された商品仕様識別コードを含むメーカ管理情報を取得するメーカ管理情報取得手段と、
該メーカ管理情報取得手段が取得したメーカ管理情報を前記コード管理ＤＢに登録するメーカ管理情報登録手段とを含む
請求項１から請求項９のうちいずれかに記載のコード管理サーバ。
【請求項１１】
各小売チェーンにおいて管理される各小売チェーンサーバから、インストアコードと該インストアコードが付与されている商品の商品仕様識別コードとを含む小売店情報を取得する小売店情報取得手段と、
前記コード管理ＤＢに登録されている商品仕様識別コードのうち前記小売店情報取得手段が取得した商品仕様識別コードに対応付けして、当該小売店情報取得手段が取得したインストアコードを登録するインストアコード登録手段とを含む
請求項１０記載のコード管理サーバ。
【請求項１２】
コード管理情報は、インストアコードを付与している小売チェーンを示す小売チェーン名を含む
請求項１から請求項１１のうちいずれかに記載のコード管理サーバ。
【請求項１３】
コード管理情報は、商品仕様識別コードが付与されている商品の商品名を含む
請求項１から請求項１２のうちいずれかに記載のコード管理サーバ。
【請求項１４】
商品が生産あるいは製造されたときに当該商品を識別するための商品仕様識別コードが付与され、各小売チェーンにおいてそれぞれ別個にインストアコードが付与されている商品についてのコード管理を行うコード管理方法であって、
検索対象の商品に付与されているインストアコードを含む検索依頼情報を受け付ける検索依頼情報受付処理と、
該検索依頼情報受付処理にて受け付けた検索依頼情報に含まれるインストアコードが対応付けされているコード管理情報を、前記商品仕様識別コードと、該商品仕様識別コードが示す商品に各小売チェーンにおいて付与されるインストアコードと、該商品仕様識別コードが示す商品の賞味期限の範囲を示す賞味期限該当期間と、当該商品仕様識別コードが示す商品の製造期間とを含むコード管理ＤＢを参照して検索し、検索したコード管理情報に含まれている商品仕様識別コードを特定する商品仕様識別コード特定処理と、
該商品仕様識別コード特定処理にて特定した商品仕様識別コードを使用して、当該商品仕様識別コードが付与されている商品の商品カルテを取得する商品カルテ取得処理と、
該商品カルテ取得処理にて取得した商品カルテが示す商品情報を、前記賞味期限該当期間あるいは前記製造期間が検索対象の商品のどの部位に表示されているかを提示するガイドデータとともに出力する商品情報出力処理とを含む
ことを特徴とするコード管理方法。
【請求項１５】
前記商品情報出力処理では、前記検索依頼情報受付処理にて、前記商品の賞味期限に含まれる部分コードを含む検索依頼情報が受け付けられた場合に、前記商品カルテの商品情報に含まれる該商品の詳細情報を出力する
請求項１４記載のコード管理方法。
【請求項１６】
前記商品カルテ取得処理にて取得した商品カルテが示す商品情報の表示順番を決定する表示順番決定処理を含み、
前記商品情報出力処理では、該商品カルテ取得処理にて取得した商品カルテが示す商品情報を、前記表示順番決定処理にて決定した表示順番を指定して出力する
請求項１４または請求項１５記載のコード管理方法。
【請求項１７】
前記表示順番決定処理では、前記商品カルテが示す商品情報の表示順番を、前記コード管理ＤＢのコード管理情報に含まれる前記賞味期限該当期間あるいは前記製造期間に基づき決定する
請求項１６記載のコード管理方法。
【請求項１８】
前記検索依頼情報受付処理では、各小売チェーンにてそれぞれ管理される小売チェーンサーバから通信ネットワークを介して送信された検索依頼情報を受け付け、
前記小売チェーンサーバは、
インストアコードを指定可能な検索依頼情報指定領域を含む検索依頼情報指定画面を表示する検索依頼情報指定画面表示処理と、
ガイドデータを表示するガイドデータ表示領域および部分コードを指定可能な部分コード指定領域を含む検索結果画面を表示する検索結果画面表示処理と、
前記検索依頼情報指定画面にて指定されたインストアコードと、前記検索結果画面にて指定された部分コードとを検索依頼情報として通信ネットワークを介して送信する検索依頼情報送信処理とを実行する
請求項１５から請求項１７のうちいずれかに記載のコード管理方法。
【請求項１９】
前記検索結果画面表示処理では、前記商品情報出力処理にて出力された前記商品カルテが示す商品情報に含まれる商品の関連情報を表示する関連情報表示領域を含む前記検索結果画面を表示する
請求項１８記載のコード管理方法。
【請求項２０】
前記コード管理ＤＢのコード管理情報に含まれる商品仕様識別コードが示す商品が、中間流通経路を経た際に、当該中間流通経路にて走査された該商品の商品仕様識別コードと、該中間流通経路にて撮像された該商品の画像とを紐付けて前記コード管理情報に保存する画像保存処理を含み、
前記商品情報出力処理では、前記画像保存処理にて保存された商品の画像と、前記賞味期限該当期間あるいは前記製造期間が検索対象の商品のどの部位に表示されているかを示すテキストデータとを前記ガイドデータとして出力する
請求項１４から請求項１９のうちいずれかに記載のコード管理方法。
【発明の詳細な説明】
【技術分野】
【０００１】
本発明は、商品が生産あるいは製造されたときに当該商品を識別するための商品仕様識別コードが付与され、各小売チェーンにおいてそれぞれ別個にインストアコードが付与されている商品についてのコード管理を行うコード管理サーバ、及びコード管理方法に関する。
【背景技術】
【０００２】
従来から、スーパーマーケット等の店舗において、購入が希望された商品に付されているバーコード等のＰＯＳコードを読み取ることで、商品単位の販売状況を把握するための情報の収集等を行うＰＯＳシステムが広く用いられている（例えば、特許文献１−２参照）。
【０００３】
【特許文献１】特開２００５−１６５６２９号公報
【特許文献２】特開２００５−２２８０２１号公報
【発明の開示】
【発明が解決しようとする課題】
【０００４】
上述した従来のＰＯＳシステムでは、ＰＯＳコードによって得られる情報は各店舗独自のインストアコードとされている。チェーンストアでは、一般にＪＡＮ（ＥＡＮ）コードと呼ばれる国際標準コードの形式が使用されているが、登録されている対応商品がバラバラのインストアコードが使用されている。
【０００５】
一方、各チェーンストアで販売される各商品毎にそれぞれ商品マスタが作成され、その商品マスタそれぞれに商品マスタ番号が付与される。この商品マスタ番号は、各チェーンストアにて販売された商品を一意に特定可能である。
【０００６】
従って、各チェーンストアで使用されるインストアコードと商品マスタ番号とが１対１に対応付けされていれば、論理上は各チェーンストアにおけるインストアコードから該当する商品に関する情報を的確に得ることが可能となる。
【０００７】
しかしながら、実際上は、例えば惣菜や缶詰などの商品における一部の材料が変更されただけのような場合には、商品マスタ番号は別途付与されるが、インストアコードは変更されることなく継続して使用されることがあるため、インストアコードから該当する商品に関する正確な情報を得ることはできないという問題がある。
【０００８】
また、インストアコードの他に、例えば商品に表示されている賞味期限などを利用して、該当する商品の情報を詳細に得たい場合などに、商品において賞味期限などが表示されている箇所が分かりにくいことがあるため、利用者にとって不便であるという問題があった。
【０００９】
また、商品は生産者側から中間流通経路を経て提供者側へ搬送されるものであるため、この中間流通経路にて検品等される際に得られた商品の実際の画像などの有効利用を図りたいという要望もある。
【００１０】
本発明は、上述した問題を解消し、統一することなく複数の店舗間で別個に付与されて用いられているインストアコードが示す各商品の商品情報、およびこの商品情報の詳細情報を正確に確認することができるようにすることを目的とする。
【課題を解決するための手段】
【００１１】
本発明のコード管理サーバは、商品が生産あるいは製造されたときに当該商品を識別するための商品仕様識別コードが付与され、各小売チェーンにおいてそれぞれ別個にインストアコードが付与されている商品についてのコード管理を行うコード管理サーバであって、前記商品仕様識別コードと、該商品仕様識別コードが示す商品に各小売チェーンにおいて付与されるインストアコードと、該商品仕様識別コードが示す商品の賞味期限の範囲を示す賞味期限該当期間と、当該商品仕様識別コードが示す商品の製造期間とを含むコード管理情報を格納するコード管理ＤＢと、検索対象の商品に付与されているインストアコードを含む検索依頼情報を受け付ける検索依頼情報受付手段と、該検索依頼情報受付手段が受け付けた検索依頼情報に含まれるインストアコードが対応付けされているコード管理情報を、前記コード管理ＤＢを参照して検索し、検索したコード管理情報に含まれている商品仕様識別コードを特定する商品仕様識別コード特定手段と、該商品仕様識別コード特定手段が特定した商品仕様識別コードを使用して、当該商品仕様識別コードが付与されている商品の商品カルテを取得する商品カルテ取得手段と、該商品カルテ取得手段が取得した商品カルテが示す商品情報を、前記賞味期限該当期間あるいは前記製造期間が検索対象の商品のどの部位に表示されているかを提示するガイドデータとともに出力する商品情報出力手段とを含むことを特徴とする。
【００１２】
上記のように構成したことで、統一することなく複数の店舗間で別個に付与されて用いられているインストアコードが示す各商品の商品情報を、インストアコードによって検索することができるとともに、その商品情報に含まれる詳細情報を検索するための賞味期限や製造期間が検索対象の商品のどの部位に表示されているかを示すガイドデータと併せて得ることができ、正確に確認することができる。
【００１３】
前記商品情報出力手段は、前記検索依頼情報受付手段が、前記商品の賞味期限に含まれる部分コードを含む検索依頼情報を受け付けた場合に、前記商品カルテの商品情報に含まれる該商品の詳細情報を出力する構成とされていてもよい。
【００１４】
前記コード管理サーバは、前記商品カルテ取得手段が取得した商品カルテが示す商品情報の表示順番を決定する表示順番決定手段を含み、前記商品情報出力手段は、該商品カルテ取得手段が取得した商品カルテが示す商品情報を、前記表示順番決定手段が決定した表示順番を指定して出力する構成とされていてもよい。
【００１５】
前記表示順番決定手段は、前記商品カルテが示す商品情報の表示順番を、前記コード管理ＤＢのコード管理情報に含まれる前記賞味期限該当期間あるいは前記製造期間に基づき決定する構成とされていてもよい。
【００１６】
前記検索依頼情報受付手段は、各小売チェーンにてそれぞれ管理される小売チェーンサーバから通信ネットワークを介して送信された検索依頼情報を受け付け、
【００１７】
前記小売チェーンサーバは、インストアコードを指定可能な検索依頼情報指定領域を含む検索依頼情報指定画面を表示する検索依頼情報指定画面表示手段と、ガイドデータを表示するガイドデータ表示領域および部分コードを指定可能な部分コード指定領域を含む検索結果画面を表示する検索結果画面表示手段と、前記検索依頼情報指定画面にて指定されたインストアコードと、前記検索結果画面にて指定された部分コードとを検索依頼情報として通信ネットワークを介して送信する検索依頼情報送信手段とを含む構成とされていてもよい。
【００１８】
前記検索結果画面表示手段は、前記商品情報出力手段により出力された前記商品カルテが示す商品情報に含まれる商品の関連情報を表示する関連情報表示領域を含む前記検索結果画面を表示する構成とされていてもよい。
【００１９】
前記コード管理サーバは、前記コード管理ＤＢのコード管理情報に含まれる商品仕様識別コードが示す商品が、中間流通経路を経た際に、当該中間流通経路にて走査された該商品の商品仕様識別コードと、該中間流通経路にて撮像された該商品の画像とを紐付けて前記コード管理情報に保存する画像保存手段を含み、前記商品情報出力手段は、前記画像保存手段によって保存された商品の画像と、前記賞味期限該当期間あるいは前記製造期間が検索対象の商品のどの部位に表示されているかを示すテキストデータとを前記ガイドデータとして出力する構成とされていてもよい。
【００２０】
前記検索依頼情報指定画面表示手段は、前記検索依頼情報指定領域に所定のインストアコードに対応付けされたアイコンを指定可能に表示する構成とされていてもよい。
【００２１】
前記アイコンは、例えば、該当する商品を特定可能な画像によって形成されている。
【００２２】
商品を生産あるいは製造したメーカによって当該商品に付与された商品仕様識別コードを含むメーカ管理情報を取得するメーカ管理情報取得手段と、該メーカ管理情報取得手段が取得したメーカ管理情報を前記コード管理ＤＢに登録するメーカ管理情報登録手段とを含む構成とされていてもよい。
【００２３】
各小売チェーンにおいて管理される各小売チェーンサーバから、インストアコードと該インストアコードが付与されている商品の商品仕様識別コードとを含む小売店情報を取得する小売店情報取得手段と、前記コード管理ＤＢに登録されている商品仕様識別コードのうち前記小売店情報取得手段が取得した商品仕様識別コードに対応付けして、当該小売店情報取得手段が取得したインストアコードを登録するインストアコード登録手段とを含む構成とされていてもよい。
【００２４】
コード管理情報は、インストアコードを付与している小売チェーンを示す小売チェーン名を含む構成とされていてもよい。
【００２５】
コード管理情報は、商品仕様識別コードが付与されている商品の商品名を含む構成とされていてもよい。
【００２６】
また、本発明のコード管理方法は、商品が生産あるいは製造されたときに当該商品を識別するための商品仕様識別コードが付与され、各小売チェーンにおいてそれぞれ別個にインストアコードが付与されている商品についてのコード管理を行うコード管理方法であって、検索対象の商品に付与されているインストアコードを含む検索依頼情報を受け付ける検索依頼情報受付処理と、該検索依頼情報受付処理にて受け付けた検索依頼情報に含まれるインストアコードが対応付けされているコード管理情報を、前記商品仕様識別コードと、該商品仕様識別コードが示す商品に各小売チェーンにおいて付与されるインストアコードと、該商品仕様識別コードが示す商品の賞味期限の範囲を示す賞味期限該当期間と、当該商品仕様識別コードが示す商品の製造期間とを含むコード管理ＤＢを参照して検索し、検索したコード管理情報に含まれている商品仕様識別コードを特定する商品仕様識別コード特定処理と、該商品仕様識別コード特定処理にて特定した商品仕様識別コードを使用して、当該商品仕様識別コードが付与されている商品の商品カルテを取得する商品カルテ取得処理と、該商品カルテ取得処理にて取得した商品カルテが示す商品情報を、前記賞味期限該当期間あるいは前記製造期間が検索対象の商品のどの部位に表示されているかを提示するガイドデータとともに出力する商品情報出力処理とを含むことを特徴とする。
【発明の効果】
【００２７】
本発明によれば、統一することなく複数の店舗間で別個に付与されて用いられているインストアコードが示す各商品の商品情報、およびこの商品情報の詳細情報を正確に確認することができるようになる。
【発明を実施するための最良の形態】
【００２８】
以下、本発明の一実施の形態について図面を参照して説明する。
図１は、本発明の一実施の形態に係るコード管理システム１００の構成の例を示すブロック図である。図１に示すように、コード管理システム１００は、コード管理サーバ１０と、商品マスタサーバ２０と、小売店サーバ３１〜３Ｎ（Ｎ：任意の正の整数）と、生産者サーバ５１〜５Ｎ（Ｎ：任意の正の整数）と、中間業者サーバ６０とを含む。コード管理サーバ１０、商品マスタサーバ２０、小売店サーバ３１〜３Ｎ、生産者サーバ５１〜５Ｎ、中間業者サーバ６０は、それぞれ、例えばインターネットなどの通信ネットワーク４０に接続されている。
【００２９】
コード管理サーバ１０、商品マスタサーバ２０、小売店サーバ３１〜３Ｎ、生産者サーバ５１〜５Ｎ、および中間業者サーバ６０は、それぞれ、ＷＷＷサーバなどの情報処理装置によって構成される。
【００３０】
コード管理サーバ１０は、例えばコード管理システム１００のシステム管理者によって管理されるサーバであり、商品が生産あるいは製造されたときにその商品に付与される製造コードや各小売店にて使用されているインストアコードの管理を行うものである。
【００３１】
コード管理サーバ１０は、コード管理情報が格納されるコード管理ＤＢ（データベース）１１と、メーカ生産管理情報が格納されるメーカ生産管理ＤＢ１２とを備えている。コード管理情報は、製造コードと各小売店にて使用されるインストアコードとの関係を管理するための情報であり、例えば製造コードが示す商品の商品名を含んで構成される。
【００３２】
メーカ生産管理情報は、商品が生産あるいは製造されたときにメーカ側（例えば、生産者サーバ５１〜５Ｎ側）によってその商品に付与された製造コードと、その製造コードが示す商品の商品名と、その商品を生産あるいは製造したメーカ名とを含む。なお、コード管理ＤＢ１１と、メーカ生産管理ＤＢ１２とは、コード管理サーバ１０の内部にあっても外部にあってもよい。
【００３３】
また、メーカ生産管理情報は、例えば、各メーカが管理するメーカ端末（図示せず）から、例えば定期的にコード管理サーバ１０に通信ネットワーク４０を介して送信され、メーカ生産管理ＤＢ１２に蓄積される。この場合、メーカ生産管理情報は、例えば定期的に生産者サーバ５１〜５Ｎにて更新された上で、コード管理サーバ１０に送信されてもよい。
【００３４】
商品マスタサーバ２０は、商品の生産履歴や流通履歴を含む商品履歴情報などのその商品に関わる各種の情報を含む商品マスタ（商品カルテ）が格納される商品マスタＤＢ２１を備えている。商品マスタは、商品を一意に特定するための商品マスタ番号（商品カルテコードの一例）と、その商品に付与されている製造コードとを含む（図５参照）。なお、商品マスタＤＢ２１は、商品マスタサーバ２０の内部にあっても外部にあってもよい。
【００３５】
小売店サーバ３１〜３Ｎは、それぞれ、例えば各小売チェーンＡ〜Ｎを管理する小売チェーン管理者によって管理され、各小売チェーンＡ〜Ｎにて使用されるＰＯＳ情報を格納する小売チェーン商品マスタＤＢ３１ａ〜３Ｎａを備えている。小売店サーバ３１〜３Ｎは、それぞれ、例えば小売チェーンＡ〜Ｎ内に設置される。
【００３６】
なお、小売店サーバ３１〜３Ｎには、図示は省略するが、各小売チェーンＡ〜Ｎ内で用いられるＰＯＳレジスタ（購入金額支払所に設置されているレジスタであって、例えば商品に付されたＰＯＳシステム用のバーコード（ＰＯＳコードの一例：以下、「ＰＯＳ用バーコード」という。）を読み取り、ＰＯＳ用バーコードに基づいて特定される商品名や商品価格を用いて購入内容をレシートへ印字する機能などの各種の機能を有する。）や、小売店サーバ３１〜３Ｎの処理前にＰＯＳデータイントラ処理を行うコンピュータなどが接続されている。
【００３７】
生産者サーバ５１〜５Ｎは、それぞれ、例えば各メーカにおける生産管理者によって管理され、上述したメーカ生産管理情報を通信ネットワーク４０を介してコード管理サーバ１０に送信する。生産者サーバ５１〜５Ｎは、図示は省略するが、各メーカの製造工場や生産ライン、あるいはメーカと連係する生産者などが有するメーカ端末（例えば、コンピュータ）とそれぞれ接続されている。
【００３８】
中間業者サーバ６０は、商品の生産者と提供者の間の中間流通を担う中間流通業者によって管理され、中間流通時における商品の検品などの際にその商品の静止画や動画などの画像を撮像するためのカメラ６１を備えている。中間業者サーバ６０は、このカメラ６１を用いて撮像した商品の画像を通信ネットワーク４０を介してコード管理サーバ１０や商品マスタサーバ２０に送信する。
【００３９】
図２は、小売チェーンＡに設置されている小売店サーバ３１が備える小売チェーン商品マスタＤＢ３１ａに格納されるＰＯＳ情報の例を示す説明図である。図２に示すように、ＰＯＳ情報は、例えば、商品名と、インストアコードと、商品の値段とを含む。インストアコードは、ＪＡＮ形式などの特定の標準形式であってもよいし、店舗独自の形式をもったものであってもよい。インストアコードは、該当する小売チェーンＡ内のＰＯＳシステムにおいて所定の商品に対応付けて現在使用されているＰＯＳコードである。
【００４０】
このＰＯＳ情報においては、図２に示すように、例えば商品名としては、缶詰Ａ、缶詰Ｂ、缶詰Ｃ、調味料Ｂ、牛肉Ａなどの商品の名称及び／又はサプライヤ名（メーカ名）が設定される。また、値段には、個数や重さ毎の販売単位の値段が設定される。
【００４１】
ＰＯＳ情報は、各小売店サーバ３１〜３Ｎが備える各小売チェーン商品マスタＤＢ３１ａ〜３Ｎａにそれぞれ格納されている。また、ＰＯＳ情報は、各店舗に採用されているＰＯＳシステムによって、同じ商品であっても異なるインストアコードが設定される場合がある。
【００４２】
図３は、小売チェーンＡに設置されている各小売店サーバ３１が備える小売チェーン商品マスタＤＢ３１ａに格納される小売チェーン商品マスタの例を示す説明図である。図３に示すように、小売チェーン商品マスタは、例えば、商品名と、インストアコードと、対応する商品を示すアイコンデータと、商品の入荷日と、商品の賞味期限と、商品の属性情報とを含む。
【００４３】
商品の入荷日は、小売チェーンＡに商品が入荷した日付を示し、属性情報は、例えば、小売チェーンＡへの商品の入荷個数や入荷先を表す情報などである。また、アイコンデータは、例えば、該当する商品の写真等を表す画像データであり、商品の賞味期限は、該当する商品の賞味期限の期間満了日を示している。この賞味期限は、日単位ではなく、月、週、時間、分、秒単位で設定されていてもよい。
【００４４】
小売チェーン商品マスタは、各小売チェーンＡ〜Ｎにてそれぞれ管理される小売チェーン用の商品マスタであって、小売店サーバ３１〜３Ｎが備える各小売チェーン商品マスタＤＢ３１ａ〜３Ｎａにそれぞれ格納されている。
【００４５】
図４は、コード管理ＤＢ１１に格納されるコード管理情報の例を示す説明図である。図４に示すように、コード管理情報は、商品名と、製造コードと、小売チェーン名と、インストアコードと、製造コードが示す商品の賞味期限の該当期間である賞味期限該当期間と、その商品の製造期間とが対応付けされた情報である。賞味期限該当期間は、該当する製造コード（あるいはその製造コードに対応付けされている商品カルテコード）が付与されている商品の賞味期限が該当する日付の範囲を示す期間を意味し、該当する商品が現在も生産あるいは製造されている場合には期間満了日が確定できないため「使用継続中（適用中）」が設定される。また、製造期間は、その商品が製造された日付の範囲を示す期間を意味し、該当する商品が現在も製造されている場合には「製造中」が設定される。
【００４６】
図５は、商品マスタＤＢ２１に格納される商品カルテの内容の例を示す説明図である。図５に示すように、商品カルテには、例えば、該当する商品の商品名と、その商品に一意に付与されている製造コードと、その商品に一意に付与されている商品カルテコードと、その商品に使用されている使用材料と、各使用材料の分量を示す使用材料分量情報とが対応付けされている。なお、該当する商品が生産あるいは製造される際に使用された資材（肥料、農薬、飼料、動物医薬品など）と、その使用量（例えば、１日あたりの使用量など、資材によって適切に定められるようにすればよい。）とが商品カルテに含まれるようにしてもよい。
【００４７】
次に、本例のコード管理システム１００の動作について説明する。
図６は、本例のコード管理システム１００におけるコード管理サーバ１０が実行するコード管理情報登録処理の例を示すフローチャートである。コード管理情報登録処理は、例えば、コード管理サーバ１０のオペレータにより指示があったときや、あるいは定期的（例えば１日１回早朝あるいは深夜など）に実行される。
【００４８】
コード管理情報登録処理において、まず、コード管理サーバ１０は、メーカ生産管理ＤＢに格納されているメーカ生産管理情報のうち、新規に登録（前回取得したとき以降の登録）されていたメーカ生産管理情報を読み出す（ステップＳ１０１）。
【００４９】
次いで、コード管理サーバ１０は、取得したメーカ生産管理情報に含まれている商品名と製造コードとをコード管理ＤＢ１１に格納されているコード管理情報の該当項目にそれぞれ新たに登録し、対応する賞味期限該当期間の項目に、その開始日を登録し、終了日は未定なので「使用継続中」と登録する（ステップＳ１０２）。なお、終了日は、メーカ側の端末からの指示に応じて、コード管理サーバ１０が登録することとすればよい。
【００５０】
次に、コード管理サーバ１０は、各小売店サーバ３１〜３Ｎから、新規に登録（前回取得したとき以降の登録）されたＰＯＳ情報を取得する（ステップＳ１０３）。なお、ステップＳ１０３では、ＰＯＳ情報のうち、製造コードとインストアコードだけを取得するようにしてもよい。
【００５１】
次いで、コード管理サーバ１０は、ステップＳ１０３にて取得したＰＯＳ情報に含まれている製造コードを含むコード管理情報に対応付けして、インストアコードや小売チェーン名を登録する（ステップＳ１０４）。ＰＯＳ情報に含まれている製造コードを含むコード管理情報にインストアコードが既に対応付けされていれば、そのＰＯＳ情報に含まれている製造コードを含むコード管理情報をコピーしたあと、インストアコードや小売チェーン名をＰＯＳ情報に含まれているものに更新することで、インストアコードや小売チェーン名を登録する。
【００５２】
本例では、例えば、該当する商品に使用される材料に変更があった場合などに、メーカ生産管理情報に含まれている製造コードが更新されて、メーカ生産管理ＤＢ１２に登録される。また、製造コードが更新されると、該当する商品についての商品カルテが新たに作成され、商品マスタＤＢ２１に格納される。この商品カルテには、新たに付与された商品カルテコードが含まれる。そして、製造コードが更新されると、その旨が小売店サーバ３１〜３Ｎに通知され、ＰＯＳ情報における製造コードが更新される。
【００５３】
本例では、商品名が同じ（例えば、商品としては、○○コロッケ、××缶詰など変わらない）ものについては、各小売チェーンＡ〜Ｎ内および各小売店サーバ３１〜３Ｎにおいて、インストアコードは更新されないものとする。
【００５４】
図７は、本例のコード管理システム１００におけるコード管理サーバ１０が実行する商品検索処理の例を示すフローチャートである。ここでは、各小売店サーバ３１〜３Ｎのうち小売店サーバ３１において、オペレータにより指定されたインストアコードが付与されている商品について、商品情報や使用材料などの詳細情報が検索される場合を例に説明する。
【００５５】
まず、小売店サーバ３１のオペレータは、小売チェーン端末が備える表示装置の表示画面上に表示された図８に示すような検索条件指定画面の検索条件指定領域１０１に、例えば、検索対象とする商品に付与されているインストアコードを入力することによって、検索条件を指定する。検索条件が指定されると、検索条件指定画面の検索対象確認領域１０２には、例えば、検索対象として指定された商品の商品名が表示される。
【００５６】
すなわち、小売店サーバ３１は、オペレータからの検索条件の指定を受け付けると、ＰＯＳ情報を用いて、商品名を検索し、検索対象確認領域１０２に表示する処理を行う。そして、オペレータは、検索条件の指定内容を確認すると、小売チェーン端末のマウスなどの入力装置を操作することにより、検索実行ボタン１０３を押下する。検索実行ボタン１０３が押下されると、小売店サーバ３１は、指定されているインストアコードをコード管理サーバ１０に対して送信する（ステップＳ２０１）。
【００５７】
なお、検索条件指定画面は、例えば図９に示すように、検索条件指定領域１０１に選択可能な各商品それぞれのアイコンが表示され、アイコンを指定することで検索対象の商品を選択することとしてもよい。この場合、小売店サーバ３１は、アイコンの選択を受け付けると、ＰＯＳ情報を用いて、選択されたアイコンに対応付けされている商品のインストアコードおよび商品名を検索し、検索対象確認領域１０２に表示する処理を行う。そして、検索実行ボタン１０３が押下されると、小売店サーバ３１は、指定されているインストアコードをコード管理サーバ１０に対して送信する（ステップＳ２０１）。
【００５８】
商品検索処理において、コード管理サーバ１０は、小売店サーバ３１から通信ネットワーク４０を介してインストアコード（例えばＡ０００００２３）を含む検索依頼情報を受信する（ステップＳ２０２）。
【００５９】
次に、コード管理サーバ１０は、コード管理ＤＢ１１のコード管理情報を参照して、ステップＳ２０２にて受信したインストアコードに対応付けされている商品の製造コードを検索し抽出するとともに、商品マスタサーバ２０にアクセスして、抽出した製造コードに対応付けられている商品カルテデータを検索し（ステップＳ２０３）、該当する商品の商品カルテを商品マスタＤＢ２１の商品マスタから取得する（ステップＳ２０４）。
【００６０】
次に、コード管理サーバ１０は、ステップＳ２０４にて取得した商品カルテが示す商品名、製造コード、商品カルテコード、賞味期限該当期間と、検索対象の商品の賞味期限や製造日が当該商品のどの部位に表示されているかを提示するためのガイドデータのガイド内容を含む商品検索結果情報の表示領域が設けられた検索結果画面を表示するための検索結果画面情報を生成し、例えば該当する商品が複数検索された場合には賞味期限該当期間の新しいものから検索結果画面の上方側に表示されるように表示順番を決定し、決定した表示順番を指定して、生成した検索結果画面情報を小売店サーバ３１に対して送信する（ステップＳ２０５）。なお、表示順番は、例えばあらかじめ定められている決定ルールに従って決定されてもよい。
【００６１】
小売店サーバ３１は、送信された検索結果画面情報に基づき、送信された商品カルテが示す商品名、製造コード、商品カルテコード、賞味期限該当期間と、ガイドデータのガイド内容を含む検索結果画面を、例えば小売チェーン端末が備える表示装置や自己が備える表示装置の表示画面上に表示する（ステップＳ２０６）。
【００６２】
検索結果画面には、例えば図１０に示すように、検索条件を表示する検索条件表示領域２０１と、検索結果を表示する検索結果表示領域２０２と、ガイドデータのガイド内容を表示するガイド表示領域２０３と、検索結果表示領域２０２に表示されガイド表示領域２０３にてガイドされた商品の賞味期限に含まれる部分コードを指定するためのコード入力領域２０４と、コード入力領域２０４に入力された部分コードに基づいて検索結果表示領域２０２に表示された商品の詳細情報の検索を指示するための検索実行ボタン２０５とが設けられている。本例では、検索結果表示領域２０２に、賞味期限該当期間の新しいものから上から順番に商品が表示される。
【００６３】
図１０には、検索条件としてインストアコード「Ａ０００００２３」が指定された場合の検索結果の例が示されている。図１０に示すように、検索結果として、インストアコード「Ａ０００００２３」が示す商品が商品名「缶詰Ａ」であり、検索結果表示領域２０２に該当する「缶詰Ａ」が複数表示されている。番号１が付されて表示された「缶詰Ａ」は、例えば、製造コードが「０００１２７」、商品カルテコードが「ＫＡ０００５０」で、賞味期限該当期間が「２００７年０５月０２日〜使用継続中」のものである。また、番号２が付されて表示された「缶詰Ａ」は、例えば、製造コードが「０００１２６」、商品カルテコードが「ＫＡ０００４９」で、賞味期限該当期間が「２００６年１０月１６日〜２００７年０５月０１日」のものである。
【００６４】
なお、検索結果画面は、例えば図１１に示すように、検索結果表示領域２０２において、商品の賞味期限該当期間の表示に代えて、商品の製造期間を表示するようにしてもよい。この場合、番号１が付されて表示された「缶詰Ａ」は、製造期間が「２００６年１０月１６日〜２００７年０５月０１日」のものである。また、番号２が付されて表示された「缶詰Ａ」は、製造期間が「２００６年０５月０１日〜２００６年１０月１５日」のものである。
【００６５】
さらに、小売店サーバ３１のオペレータは、図１０に示すような検索結果画面のコード入力領域２０４に、例えばガイド表示領域２０３に表示された「缶詰Ａ」の賞味期限がどこの部位に表示されているかの案内画像を参考に、検索対象の商品の賞味期限に含まれる部分コードを入力することによって、検索条件を指定する。なお、図１０に示すガイド表示領域２０３に表示された案内画像では、「缶詰Ａ」を表す画像中の「××××」や「○○○○」の部分に賞味期限やメーカコードなどが印字されていることを示している。
【００６６】
この案内画像は、商品を表すために作成された静止画や動画のいずれであってもよく、また、商品の中間流通経路において撮像された画像であって、中間業者サーバ６０を介してコード管理サーバ１０や商品マスタサーバ２０に送られ、コード管理ＤＢ１１や商品マスタＤＢ１２に商品の製造コードと対応付けられて保存されたものであってもよい。案内画像が中間流通経路にて撮像されたものである場合は、上述した賞味期限やメーカコードの印字箇所などを表すテキストデータ「××××○○○○の××××は賞味期限を表し、○○○○はメーカコードを表しています。」が同時にガイド表示領域２０３に表示される。
【００６７】
また、コード入力領域２０４に入力される部分コードは、例えばペットボトルなどにおいてキャップ部近傍に印字されている「０７１１２２／ＫＫ２４」などのメーカコードの少なくとも一部によって構成されていてもよい。この場合、例えばメーカコード「０７１１２２／ＫＫ２４」の「０７１１２２」は賞味期限「２００７年１１月２２日」を表し、「ＫＫ２４」は製造メーカや製造工場などを表している。従って、本例でいうところの賞味期限に含まれる部分コードとしては、例えば「０７１」や「１１」などが挙げられる。
【００６８】
部分コードが入力されて検索条件が指定されたのち、検索実行ボタン２０５が押下されると、小売店サーバ３１は、指定されている部分コードをコード管理サーバ１０に対して送信する（ステップＳ２０７）。コード管理サーバ１０は、送信された部分コードを受信して（ステップＳ２０８）、受信した部分コードに基づき商品カルテが示す商品情報に含まれる詳細情報（詳細データ）を絞り込んで検索する（ステップＳ２０９）。
【００６９】
すなわち、コード管理サーバ１０は、例えば図１０に示した複数の「缶詰Ａ」の商品カルテが示す商品情報に対して、賞味期限の部分コードとして「０５」が指定された場合は、この「０５」の部分コードを含む商品の賞味期限を有する商品を、コード管理情報を参照して絞り込み、該当する商品の製造コードから詳細情報を取得する。
【００７０】
そして、コード管理サーバ１０は、取得した詳細情報が示す商品名、製造コード、商品カルテコード、賞味期限、使用材料、商品の生産あるいは製造の際に使用された資材を含む詳細情報の内容を含む検索結果画面情報を生成し、必要に応じて使用材料や資材の表示順番を決定し、決定した表示順番を指定して、生成した検索結果画面情報を小売店サーバ３１に送信する（ステップＳ２１０）。なお、表示順番は、あらかじめ定められている決定ルールに従って決定される。ここでは、例えば、あらかじめ商品毎に定められている優先順位の高い方から順番に表示することとする。この優先順位は、例えば表示順番決定用のテーブルなどに登録されてコード管理サーバ１０が備えるＤＢに格納されている。
【００７１】
小売店サーバ３１は、送信された検索結果画面情報に基づき、送信された詳細情報が示す商品名、使用材料、商品の生産あるいは製造の際に使用された資材を含む商品検索結果情報の表示領域が設けられた検索結果画面を、例えば小売チェーン端末が備える表示装置や自己が備える表示装置の表示画面上に表示する（ステップＳ２１１）。
【００７２】
検索結果画面には、例えば図１２に示すように、検索条件および賞味期限を表示する検索条件表示領域２０１と、検索結果を表示する検索結果表示領域２０２とが設けられている。本例では、検索結果表示領域２０２に、指定された順番で使用材料や資材が表示される。
【００７３】
図１２には、検索条件としてインストアコード「Ａ０００００２３」および部分コード「０５」が指定された場合の検索結果であって、部分コードから賞味期限「２００７年０５月１０日」が導かれた場合の例が示されている。図１２に示すように、検索結果として、インストアコード「Ａ０００００２３」が示す商品が、商品名「缶詰Ａ」であり、指定された部分コード「０５」を含む「２００７年０５月１０日」が賞味期限となるものにおいては、製造コード「０００１２７」および商品カルテコード「ＫＡ０００５０」が使用されており、その「缶詰Ａ」の使用材料は「タラバ蟹」や「調味料α」および「調味料β」などであり、その「缶詰Ａ」を生産（あるいは製造）する際に使用した資材が「防腐剤Ａ」および「防腐剤Ｂ」や「色素安定材Ａ」などであったことが示されている。
【００７４】
本例では、各小売チェーンＡ〜Ｎにてそれぞれ独自に付与されるインストアコードに基づいて、製造コード（商品カルテコード）が更新されていた場合であっても、その商品の商品情報を検索することができるとともに、その商品の詳細情報を、賞味期限や製造期間が商品のどの部位に表示されているかを示す案内画像によって表された賞味期限の部分コードなどによって検索することができ、商品の使用材料や資材を詳細に検索することが可能となり、正確に確認することができる。
【００７５】
なお、検索結果画面には、例えば図１３に示すように、検索結果表示領域２０２に表示された商品と関連する情報を選択指定可能に表示する関連情報表示領域２０８が設けられていてもよい。図１３においては、関連情報表示領域２０８に、関連情報として、例えば商品の製造メーカのホームページのアドレスを示すＵＲＬが表されている。このＵＲＬを選択指定すれば、上記製造メーカのホームページへジャンプすることが可能となる。なお、関連情報は、ＵＲＬの他、商品に関する種々の情報（例えば商品製造元の工場の住所など）であってもよい。また、関連情報表示領域２０８には、ＵＲＬなどが一覧表示されてもよい。
【００７６】
さらに、検索結果画面には、例えば図１４に示すように、検索結果を表示する検索結果表示領域２０２に表示された使用材料や資材が、表示順番の決定ルールによっては、優先順位の高い「調味料β」から順番に表示されるようにしてもよい。優先順位については、例えばスポンサー会社が製造している商品については高くするなど、システム管理者によって決定するようにすればよい。なお、表示順番の決定ルールが複数あり、各決定ルールにも優先順位を設けるようにしてもよい。このようにすれば、あらかじめ定められた優先順位の高い方から表示することとし、優先順位が同じものについては分量の多い方から表示するといったようなことを行うことができるようになる。
【００７７】
なお、上記の例では、商品カルテの一部を抽出して検索結果画面に表示することとしていたが、商品カルテの内容の全部を抽出して検索結果画面に表示するようにしてもよい。また、上記の例では、検索結果画面を表示する構成としていたが、印刷することとしてもよく、音声により検索結果を出力することとしてもよい。また、図示は省略したが、検索結果画面にて入力された部分コードに基づき、例えば小売店サーバ３１側にて小売チェーン商品マスタに含まれる商品の属性情報（商品の入荷個数や入荷先などの情報）を検索して表示するようにしてもよい。
【００７８】
以上説明したように、上述した一実施の形態では、コード管理サーバ１０が、検索対象の商品に付与されているインストアコードを含む検索依頼情報を受け付け、受け付けた検索依頼情報に含まれるインストアコードが対応付けされているコード管理情報を、商品仕様識別コードと、商品仕様識別コードが示す商品に各小売チェーンＡ〜Ｎにおいて付与されるインストアコードと、商品仕様識別コードが示す商品の賞味期限の範囲を示す賞味期限該当期間と、商品仕様識別コードが示す商品の製造期間とを含むコード管理ＤＢ１１を参照して検索し、検索したコード管理情報に含まれている商品仕様識別コードを特定し、特定した商品仕様識別コードを使用して、商品仕様識別コードが付与されている商品の商品カルテを取得し、取得した商品カルテが示す商品情報を、賞味期限該当期間あるいは製造期間が検索対象の商品のどの部位に表示されているかを提示するガイドデータとともに出力する構成としているので、統一することなく複数の店舗間で別個に付与されて用いられているインストアコードが示す各商品の商品情報を、インストアコードによって検索することができるとともに、その商品情報に含まれる詳細情報を検索するための賞味期限や製造期間が検索対象の商品のどの部位に表示されているかを示すガイドデータと併せて得ることができ、正確に確認することができる。また、所望の表示順番で検索結果を表示させることが可能となり、優先的に表示させるべき商品を見やすい位置に表示させることができる。また、インストアコードの他に、例えば商品に表示されている賞味期限などを利用して、該当する商品の情報を詳細に得たい場合などに、ガイドデータによって商品において賞味期限などがどの部位に表示されているかを把握することができるので、利用者の利便性を向上させることができる。
【００７９】
なお、商品仕様識別コードは、商品名、使用原材料、二次原料、添加物、アレルゲン、製造工場、対象販売エリア（例えば、関西エリア向けなど）、包装デザインなどの仕様が異なる毎に一意に商品に付与される識別コードである。すなわち、ある商品において、上記のような仕様（データファイル）が更新されると、新たな商品仕様識別コードが付与されることになる。なお、製造コードは、商品仕様識別コードの一例である。
【００８０】
また、上述した一実施の形態では、コード管理サーバ１０が、商品の賞味期限に含まれる部分コードを含む検索依頼情報を受け付けた場合に、商品カルテの商品情報に含まれる商品の詳細情報を出力する構成としているので、賞味期限を利用して商品の詳細情報の検索を容易に行うことができる。
【００８１】
また、上述した一実施の形態では、コード管理サーバ１０が、取得した商品カルテが示す商品情報の表示順番を決定し、商品カルテが示す商品情報を、決定した表示順番を指定して出力する構成としているので、検索結果を見やすく表示することが可能となる。
【００８２】
また、上述した一実施の形態では、商品カルテが示す商品情報の表示順番を、コード管理ＤＢ１１のコード管理情報に含まれる賞味期限該当期間あるいは製造期間に基づき決定する構成としているので、容易に表示順番を決定することができる。
【００８３】
また、上述した一実施の形態では、コード管理サーバ１０が、各小売チェーンＡ〜Ｎにてそれぞれ管理される小売店サーバ３１〜３Ｎから通信ネットワーク４０を介して送信された検索依頼情報を受け付け、各小売店サーバ３１〜３Ｎが、インストアコードを指定可能な検索条件指定領域１０１を含む検索条件指定画面（図８参照）を表示し、ガイドデータを表示するガイド表示領域２０３および部分コードを指定可能なコード入力領域２０４を含む検索結果画面（図１０など参照）を表示し、検索条件指定画面にて指定されたインストアコードと、検索結果画面にて指定された部分コードとを検索依頼情報として通信ネットワーク４０を介して送信する構成としているので、小売店サーバ３１〜３Ｎ側において検索依頼情報の指定や検索結果の表示などを極めて容易に行うことができる。
【００８４】
また、上述した一実施の形態では、小売店サーバ３１〜３Ｎが、商品カルテが示す商品情報に含まれる商品の関連情報を表示する関連情報表示領域２０８を含む検索結果画面（図１３参照）を表示する構成としているので、商品の関連情報についても容易に表示することが可能となる。
【００８５】
また、上述した一実施の形態では、コード管理サーバ１０が、コード管理ＤＢ１１のコード管理情報に含まれる商品仕様識別コードが示す商品が、中間流通経路を経た際に、この中間流通経路にて走査された商品の商品仕様識別コードと、この中間流通経路にて撮像された商品の画像とを紐付けてコード管理情報に保存し、保存された商品の画像と、賞味期限該当期間あるいは製造期間が検索対象の商品のどの部位に表示されているかを示すテキストデータとをガイドデータとして出力する構成としているので、中間流通経路にて検品等される際に得られた商品の実際の画像などの有効利用を図ることが可能となる。
【００８６】
また、上述した一実施の形態では、小売店サーバ３１〜３Ｎが、検索条件指定画面の検索条件指定領域（図９の１０１参照）に所定のインストアコードに対応付けされたアイコンを指定可能に表示する構成としているので、小売店サーバ３１〜３Ｎ側において検索依頼情報の指定を極めて容易に行うことができる。
【００８７】
また、上述した一実施の形態では、コード管理サーバ１０が、商品を生産あるいは製造したメーカによって当該商品に付与された商品仕様識別コードを含むメーカ管理情報を取得し、取得したメーカ管理情報をコード管理ＤＢ１１に登録する構成としているので、新たな商品仕様識別コードが付与されたときに、その新規の商品仕様識別コードや商品名をコード管理ＤＢ１１に登録することができる。
【００８８】
また、上述した一実施の形態では、コード管理サーバ１０が、各小売チェーンＡ〜Ｎにおいて管理される各小売店サーバ３１〜３Ｎから、インストアコードとそのインストアコードが付与されている商品の商品仕様識別コードとを含む小売店情報を取得し、コード管理ＤＢ１１に登録されている商品仕様識別コードのうち取得した商品仕様識別コードに対応付けして、取得したインストアコードを登録する構成としたので、各小売チェーンＡ〜Ｎで新たにインストアコードが付与されたときに、そのインストアコードは小売チェーン名などを適切な商品仕様識別コードに対応付けしたコード管理情報としてコード管理ＤＢ１１に登録することができる。
【００８９】
なお、上述した一実施の形態では、インストアコードを使用する構成としていたが、コード管理サーバ１０が管理するコード管理情報が、インストアコードに替えて、あるいはインストアコードとともに、商品仕様識別コードが示す商品に各小売チェーンＡ〜Ｎにおいて付与される図形コードなどを含むようにしてもよい。すなわち、インストアコードに替えて、あるいはインストアコードとともに、各小売チェーンＡ〜Ｎにて商品を識別可能にプライベート利用される図形コードを用いることとしてもよい。
【産業上の利用可能性】
【００９０】
本発明によれば、統一することなく複数の店舗間で別個に付与されて用いられているインストアコードが示す各商品の商品情報、およびこの商品情報の詳細情報を正確に確認するのに有用である。
【図面の簡単な説明】
【００９１】
【図１】本発明の一実施の形態に係るコード管理システムの構成の例を示すブロック図である。
【図２】ＰＯＳ情報の例を示す説明図である。
【図３】小売チェーン商品マスタの例を示す説明図である。
【図４】コード管理情報の例を示す説明図である。
【図５】商品カルテの内容の例を示す説明図である。
【図６】コード管理情報登録処理の例を示すフローチャートである。
【図７】商品検索処理の例を示すフローチャートである。
【図８】検索条件指定画面の例を示す説明図である。
【図９】検索条件指定画面の例を示す説明図である。
【図１０】検索結果画面の例を示す説明図である。
【図１１】検索結果画面の例を示す説明図である。
【図１２】検索結果画面の例を示す説明図である。
【図１３】検索結果画面の例を示す説明図である。
【図１４】検索結果画面の例を示す説明図である。
【符号の説明】
【００９２】
１０            コード管理サーバ
１１            コード管理ＤＢ
１２            メーカ生産管理ＤＢ
２０            商品マスタサーバ
２１            商品マスタＤＢ
３１〜３Ｎ      小売店サーバ
３１ａ〜３Ｎａ  小売チェーン商品マスタＤＢ
４０            通信ネットワーク
５１〜５Ｎ      生産者サーバ
６０            中間業者サーバ
６１            カメラ
１００          コード管理システム
【図１】
2008269266.tif 000003
【図２】
2008269266.tif 000004
【図３】
2008269266.tif 000005
【図４】
2008269266.tif 000006
【図５】
2008269266.tif 000007
【図６】
2008269266.tif 000008
【図７】
2008269266.tif 000009
【図８】
2008269266.tif 000010
【図９】
2008269266.tif 000011
【図１０】
2008269266.tif 000012
【図１１】
2008269266.tif 000013
【図１２】
2008269266.tif 000014
【図１３】
2008269266.tif 000015
【図１４】
2008269266.tif 000016